(57)【要約】      （修正有）【課題】電気器具、機具または建物に取り付けられ、空気濾過するための交換可能型濾過装置を提供する。【解決手段】交換可能型濾過装置２は、取付部に空気を通させる通気口が画成されていて、枠座ユニット３と、および、濾過ユニット４と、を含む。枠座ユニット３に、両反対側を連通させる収納空間３０が画成されている。枠座ユニット３は、外枠３１と、ネットフレーム３２と、両柵条３３と、およびパッド３４とを含む。外枠３１は、通気口の周囲を囲み、収納空間３０の周縁を囲み込む囲込壁３１３と、および、囲込壁３１３の両側から中央へそれぞれ折り曲がって突延する第１側辺３１１および第２側辺３１２と、を有する。第１側辺３１１と第２側辺３１２は、それぞれ収納空間の両反対側に位置しており、濾過ユニット４に対する位置止め用とする。第１側辺３１１は第１開口３１４を有し、第２側辺３１２は第２開口３１５を有する。【選択図】図１
0003233731.tif 000002
【実用新案登録請求の範囲】
【請求項１】
交換可能型濾過装置は、
両反対側を連通させる収納空間が画成される枠座ユニットと、および
枠座ユニットの収納空間中に取外可能に収納され、収納空間を通す空気を濾過する濾材を
備える濾過ユニットと、を含む、
ことを特徴とする交換可能型濾過装置。
【請求項２】
枠座ユニットは、横断面が概ねコ字状を呈する外枠を含み、外枠は、収納空間の周縁を囲
み込む囲込壁と、および、それぞれ囲込壁の両側から中央へそれぞれ折り曲がって突延す
る第１側辺および第２側辺とを、有し、第１側辺と第２側辺は、それぞれ収納空間の両反
対側に位置しており、濾過ユニットに対する位置止め用とするように構成されている、こ
とを特徴とする請求項１に記載の交換可能型濾過装置。
【請求項３】
枠座ユニットはさらにネットフレームを含み、ネットフレームは外枠の第１側辺と濾過ユ
ニットとの間に設置され、濾過ユニットを支持するように構成されており、ネットフレー
ムは複数個の空気を通させる網穴を含む、ことを特徴とする請求項２に記載の交換可能型
濾過装置。
【請求項４】
枠座ユニットは少なくとも２つの柵条を含み、少なくとも２つの柵条は、外枠の第２側辺
と濾過ユニットとの間に取外可能に設置され、濾過ユニットが第２側辺から脱離できない
ように位置止め用とするように構成されている、ことを特徴とする請求項３に記載の交換
可能型濾過装置。
【請求項５】
少なくとも２つの柵条は、ストリップ状、Ｖ字状、Ｕ字状、Ｗ字状、または波浪状を呈し
ている、ことを特徴とする請求項４に記載の交換可能型濾過装置。
【請求項６】
枠座ユニットは、枠型を呈する座体と、および、枠型を呈するとともに座体に開放可能に
接続される蓋体とを含み、接続される蓋体と座体によって収納空間が画成されている、こ
とを特徴とする請求項１に記載の交換可能型濾過装置。
【請求項７】
座体は、収納空間の周縁を囲み込む第１囲み壁と、および、第１囲み壁における蓋体との
反対側から中央へ折り曲がって突延する第１側辺と、を有し、蓋体は、収納空間の周縁を
囲み込むとともに第１囲み壁に着脱可能に接続される第２囲み壁と、および、第２囲み壁
における座体との反対側から中央へ折り曲がって突延する第２側辺と、を有し、第１側辺
と第２側辺は、それぞれ収納空間の両反対側に位置しており、濾過ユニットに対する位置
止め用とするように構成されている、ことを特徴とする請求項６に記載の交換可能型濾過
装置。
【請求項８】
濾過ユニットの濾材は、収納空間に形状が対応するとともに板ブロック状を呈する濾過本
体を含む、ことを特徴とする請求項１〜７のいずれか１項に記載の交換可能型濾過装置。
【請求項９】
濾材は複数個の濾過本体中に分布設置される濾過粒子をさらに含む、ことを特徴とする請
求項８に記載の交換可能型濾過装置。
【請求項１０】
濾過ユニットは濾材を包覆するとともに透気性のあるクロスカバーをさらに含む、ことを
特徴とする請求項９に記載の交換可能型濾過装置。
【請求項１１】
濾過本体は不織布、織布、スポンジまたは細網製とする、ことを特徴とする請求項８に記
載の交換可能型濾過装置。
【請求項１２】
濾過ユニットの濾材は、波浪状と繰り返し折り畳んだ折畳状の濾過本体を有し、濾過ユニ
ットは、濾材の周囲をまわって接続される、濾材を固型するための辺枠をさらに含む、こ
とを特徴とする請求項１〜７のいずれか１項に記載の交換可能型濾過装置。
【請求項１３】
辺枠４３は紙製とする、ことを特徴とする請求項１２に記載の交換可能型濾過装置。
【請求項１４】
濾材は複数個の濾過本体中に分布設置される濾過粒子をさらに含む、ことを特徴とする請
求項１２に記載の交換可能型濾過装置。
【請求項１５】
濾過本体は不織布、織布、スポンジまたは細網製とする、ことを特徴とする請求項１２に
記載の交換可能型濾過装置。
【請求項１６】
濾過本体４１３は、等距離に配列される複数個の折り部４１４を含み、交換可能型濾過装
置２はさらに濾過本体４１３の各折部４１４同士の距離を固定するための距離決めユニッ
ト５を含む、ことを特徴とする請求項１２に記載の交換可能型濾過装置。
【請求項１７】
距離決めユニットは、長尺の片体であり、かつ等距離に突出するとともに各折部４１４間
に分離可能に挿設される複数個の突歯５１を含む、ことを特徴とする請求項１６に記載の
交換可能型濾過装置。
【考案の詳細な説明】
【技術分野】
【０００１】
本実用新案は、濾過装置に関し、特に電気器具、機具または建物に取り付けられ、空気を
濾過するための交換可能型濾過装置に関する。
【背景技術】
【０００２】
一般電気製品、機械器具または建築物は、空気中の不純物の異物を濾過するために、例え
ば、ほこり、煙、水気、花粉、ガス、ダニ、飛虫など、濾過を通してきれいな空気を得る
ために、通常は濾過装置を設置する。
【０００３】
中空で金属、プラスチック又はその他の硬い材料からなるフレームと、当該枠に接続され
た濾過とを含む既存の濾過装置がある。使用時には、この濾過フィルターを利用して空気
中の不純物を濾過することができるが、この濾過フィルターに不純物が付着しているため
、濾過効率が低下します。交換したい場合、この濾過フィルターはフレームから外すこと
ができませんので、まだ使えるこのフレームをこの濾過フィルターと一緒に廃棄しなけれ
ばなりません。使用コストが上がるだけではなく、環境にやさしい省エネのニーズにも合
わない。したがって、既存の濾過装置の設計はまだ改善されていない。
【考案の概要】
【０００４】
したがって、本実用新案の目的は、先行技術の少なくとも1つの欠点を克服することがで
きる、交換可能型濾過装置を提供することである。
【０００５】
本実用新案に係る交換可能型濾過装置は、両反対側を連通させる収納空間が画成される枠
座ユニットと、および枠座ユニットの収納空間中に取外可能に収納され、収納空間を通す
空気を濾過する濾材を備える濾過ユニットと、を含む。
【０００６】
本交換可能型濾過装置は、濾過ユニットが取外可能であるので、使用コストを低減させ、
省エネー環境要求に対応でき、確実に目的を達成する。
【図面の簡単な説明】
【０００７】
本実用新案の他の特徴及び効能は、図面を参照した実施形態において明確に現れる。
【図１】本実用新案の交換可能濾過装置の第１の実施形態の後視立体分解図である。濾過ユニットの部分表面を切除して中身を表示する。
【図２】第１の実施形態の背面図である。
【図３】第１の実施形態の１つの断面図である。
【図４】本実用新案の交換可能濾過装置の第２の実施形態の背面図である。
【図５】本実用新案の交換可能濾過装置の第３の実施形態の前視斜視図である。
【図６】第３の実施形態の一つの背面図である。
【図７】本実用新案の交換可能濾過装置の第４の実施形態の前視立体分解図である。濾過ユニットの部分表面を切除して中身を表示する。
【図８】第４の実施例の１つの断面図である。
【図９】本実用新案の交換可能濾過装置の第５の実施形態の前視立体分解図である。１つの距離決めユニットを濾過装置から外すことを示す。
【考案を実施するための形態】
【０００８】
本実用新案が詳細に説明される前に、以下の説明内容において、類似の部品は同じ番号で
表されることに留意すべきである。
【０００９】
図１、２および３に示されるように、第１実施例にかかる交換可能型濾過装置２は、電器
や機具、建物の取付部１への取付けに適用し、取付部１に空気を通させる通気口１１が画
成されている。交換可能型濾過装置２は、枠座ユニット３と、および、濾過ユニット４と
、を含む。
【００１０】
枠座ユニット３に、両反対側を連通させる収納空間３０が画成されている。枠座ユニット
３は、外枠３１と、ネットフレーム３２と、両柵条３３と、およびパッド３４とを含む。
外枠３１は、金属、プラスチック、厚紙板や、他の硬質材製とする。同枠は、通気口１１
の周囲を囲み、その横断面が概ねコ字状を呈し、収納空間３０の周縁を囲み込む囲込壁３
１３と、および、囲込壁３１３の両側から中央へそれぞれ折り曲がって突延する第１側辺
３１１および第２側辺３１２と、を有する。第１側辺３１１と第２側辺３１２は、相互に
平行し、且つそれぞれ収納空間の両反対側に位置しており、濾過ユニット４に対する位置
止め用とする。第１側辺３１１は第１開口３１４を有し、第２側辺３１２は第２開口３１
５を有する。第２開口３１５と第１開口３１４は対応的に収納空間３０を連通している。
本第１実施例では、枠座ユニット３は矩形の枠体であるが、枠座ユニット３は他の形状で
もよく、ここでこれについて贅述しない。
【００１１】
ネットフレーム３２は格子ネットであり、複数個の空気を通させる網穴３２１を備える。
各網穴３２１は、正方形、菱形、蜂巣状、円形、または楕円形を呈することができる。ネ
ットフレーム３２は、外枠３１の第１側辺３１１上における濾過ユニット４との間に設置
され、濾過ユニット４を支持するように用いられる。本第１実施例では、ネットフレーム
３２は、第１側辺３１１に寄り掛けるように設置されるので、取外交換が可能である。も
ちろん、設計の面では、ネットフレーム３２は、第１側辺３１１上に固定されてもよく、
もしくは第１側辺３１１に相互に接続され、一体的に製成されてもよいが、本第１実施例
は制限としてはならない。
【００１２】
各柵条３３は、外枠３１の第２側辺３１２と濾過ユニット４の間に取外可能に設置され、
濾過ユニット４が第２側辺３１２から脱離できないようにさらなる位置止め用としている
。もちろん、第２側辺３１２だけによっても、濾過ユニット４の周辺を囲み込み、位置止
めすることができるので、設計の面では、各柵条３３の設置は省略されてもよい。本第１
実施例では、各柵条３３はストリップ状や、Ｖ字状またはＵ字状を呈し、相互は反対方向
に、かつ重なるように設置されている。また、各柵条３３の第２側辺３１２に対応する部
位は、濾過ユニット４と第２側辺３１２の間に挿入し係持され、第２側辺３１２に対応し
ない部位は、濾過ユニット４を弾圧し阻止する用に供する。特筆すべきのは、柵条３３の
数は、２本に限らなく、要求によって３本あるいは３本より多くてもかまわなく、また、
その形状や大きさ、設置位置および設置方向、重なるか重ならないかは、いずれも改変可
能であり、本第１実施例は制限としてはならない。
【００１３】
パッド３４は、外枠３１の第１側辺３１１および第２側辺３１２の少なくとも一方側に設
置されるが、本第１実施例ではパッド３４は第１側辺３１１に設置されている。組立に際
しては、取付部１に密封に当接させるようにできる。もちろん、設計の面では、パッド３
４は、外枠３１の囲込壁３１３に設置されてもよく、この場合、通気口１１中に密封に嵌
合させている。このように構成されると、外枠３１と取付部１の貼合度と気密度を増加さ
せることができるので、濾過されなかった空気が外枠３１と取付部１の間の隙間から漏洩
することを回避できる。これについては、ここで贅述しない。
【００１４】
濾過ユニット４は、枠座ユニット３の収納空間３０中に取外可能に収納され、第１側辺３
１１と第２側辺３１２の間で位置止めされているとともに、両反対側に位置するネットフ
レーム３２および両柵条３３によって支持されている。濾過ユニット４は、濾材４１と、
および、濾材４１を包覆する透気性のあるクロスカバー４２と、を含む。濾材４１は、収
納空間３０を通す空気を濾過するように用いられる。本第１実施例では、濾材４１は、形
状が収納空間３０に対応するとともに、板ブロック状を呈する濾過本体４１１と、および
複数個の顆粒または粉末状を呈するとともに、濾過本体４１１中において分布設置される
濾過粒子４１２と、を備える。濾過本体４１１は、不織布、織布、スポンジまたは細網製
とする。本第１実施例は、スポンジを例として紹介する。各濾過粒子４１２の材料は、活
性炭、ゼオライト、イオン交換樹脂、もしくはそれらの混合物とする。もちろん、濾過ユ
ニット４の構造も、改変可能であり、例えば、各濾過粒子４１２または／およびクロスカ
バー４２の設置は省略されてもよく、また例えば他の濾過殺菌、除臭または芳香精油など
の成分を添えているものであってもよい。濾過ユニット４は独立的部分であるため、単独
に交換も可能であり、個別に包装販売も可能である。
【００１５】
使用際において、要浄化の空気が、外枠３１の第２開口３１５から収納空間３０に入り込
み、濾過ユニット４によって濾過空気中における例えばほこり、煙、水、花粉、気、ない
しはダニ、飛虫など雑物異物が阻止され、浄化された空気が、第１開口３１４から排出さ
れ、通気口１１を通過させられる。時間が経つと、濾過ユニット４は交換が必要となると
き、各柵条３３を引き取り、各柵条３３を第２側辺３１２から取り外し、その後、濾過ユ
ニット４を第２開口３１５から取り外すれば、別の新たらしい濾過ユニット４を収納空間
３０に組み込むことができる。そして各柵条３３を第２側辺３１２に取り付けると、交換
操作が完了される。とても簡便になる。
【００１６】
図４に示されるように、交換可能型濾過装置２の第２実施例は、第１実施例とほぼ相同な
構成であるが、本第２実施例の各柵条３３はＷ字状または波浪状を呈するという点で相違
する。もちろん、設計の面では、両柵条３３の形状は、これに限らなく、設計に基づいて
改変可能である。
【００１７】
図５、６に示されるように、交換可能型濾過装置２の第３実施例は、第１実施例とほぼ相
同な構成であるが、実施上では、要求によって複数個の交換可能型濾過装置２を組み合わ
せることができるという点で相違する。例えば、本第３実施例は、図５、６に示されるよ
うに、４つの交換可能型濾過装置２を配置している。もちろん、設計の面では、交換可能
型濾過装置２の数は、４つに限らなく、要求によって改変可能であり、例えば２つ、３つ
、５つまたは５つより多くてもよい。特筆すべきなのは、設計の面では、等交換可能型濾
過装置２の外枠３１も、相互に接続され一体的に製成されてもよく、複数個の濾過ユニッ
ト４を収納可能な大型枠体になってもよい。これについては、ここで贅述しない。
【００１８】
図７、８に示されるように、交換可能型濾過装置２の第４実施例は、同様な構成として、
収納空間３０が画成される枠座ユニット３と、および、枠座ユニット３の収納空間３０中
に取外可能に収納される濾過ユニット４と、を含むが、本第４実施例の枠座ユニット３お
よび濾過ユニット４の構造は、第１実施例と異なる。
【００１９】
枠座ユニット３は、枠型を呈する座体３５と、および、枠型を呈するとともに座体３５に
開放可能に接続される蓋体３６と、を含む。相互に接続される蓋体３６と座体３５によっ
て収納空間３０を画成する。座体３５は、収納空間３０の周縁を囲み込む第１囲み壁３５
１と、および、第１囲み壁３５１における蓋体３６との反対側から中央へ折り曲がって突
延する第１側辺３５２と、を有する。蓋体３６は、収納空間３０の周縁を囲み込むととも
に第１囲み壁３５１に着脱可能に接続される第２囲み壁３６１と、および、第２囲み壁３
６１における座体３５との反対側から中央へ折り曲がって突延する第２側辺３６２と、を
有する。第１側辺３５２と第２側辺３６２は、それぞれ収納空間の両反対側に位置してお
り、濾過ユニット４に対する位置止め用とする。
【００２０】
本第４実施例の濾過ユニット４は、クロスカバー４２（図１）の設置が省略されている。
また、濾材４１の構造が異なる。すなわち、波浪状と繰り返し折り畳んだ折畳形態の濾過
本体４１３を有する。濾過本体４１３は、等距離に配列される複数個の折り部４１４を含
む。もちろん、濾材４１は、濾過本体４１３中において各濾過粒子４１２を分布設置して
もよい（図１に示す）。なお、濾過ユニット４は、さらに濾材４１の周囲をまわって接続
される、濾材４１を固型する辺枠４３を含む。特筆すべきのは、本第４実施例にかかる濾
過本体４１１は、不織布製とし、辺枠４３は紙製とするが、実施の面では、その材料が、
改変することも可能である。本第４実施例は制限としてはならない。
【００２１】
図９に示されるように、交換可能型濾過装置２の第５実施例は、第４実施例とほぼ相同な
構成であるが、交換可能型濾過装置２はさらに濾過本体４１３の各折部４１４同士の距離
を固定するための距離決めユニット５を含み、距離決めユニットは、長尺の片体であり、
かつ等距離に突出するとともに各折部４１４間に分離可能に挿設される複数個の突歯５１
を含む、という点で相違する。もちろん、距離決めユニット５の構造は、改変することも
可能であり、本第５実施例は制限としてはならない。
【００２２】
交換可能型濾過装置２は、濾過ユニット４の取外可能な構成によって、使用中で濾過効果
を維持するために交換しょうとするたびに、濾過ユニット４を交換、処分すればよく、枠
座ユニット３を合わせて交換する必要がない。周知のように濾片は枠体とともに廃棄され
ることによる浪費問題を解決することができる。廃棄物、および不当加工による無駄エネ
ルギーを大幅に減少し得、使用コストを低減させ、省エネー環境要求に対応でき、確実に
目的を達成する。
【００２３】
上記の記載は本実用新案の実施例に過ぎない。これによって本実用新案の実施範囲を限定
することができない。本実用新案の請求の範囲及び明細書の内容に従って行った簡単な等
価変化と修飾は、いずれも本実用新案の保護の範囲に属する。
【００２４】
［符号の説明］
取付部  １
通気口  １１
交換可能型濾過装置  ２
枠座ユニット  ３
収納空間  ３０
外枠  ３１
第１側辺  ３１１
第２側辺  ３１２
囲込壁  ３１３
第１開口  ３１４
第２開口  ３１５
ネットフレーム  ３２
網穴  ３２１
両柵条  ３３
パッド  ３４
座体  ３５
第１囲み壁  ３５１
第１側辺  ３５２
蓋体  ３６
第２囲み壁  ３６１
第２側辺  ３６２
濾過ユニット  ４
濾材  ４１
濾過本体  ４１１
濾過粒子  ４１２
濾過本体  ４１３
折り部  ４１４
クロスカバー  ４２
辺枠  ４３
距離決めユニット  ５
突歯  ５１
【図１】
0003233731.tif 000003
【図２】
0003233731.tif 000004
【図３】
0003233731.tif 000005
【図４】
0003233731.tif 000006
【図５】
0003233731.tif 000007
【図６】
0003233731.tif 000008
【図７】
0003233731.tif 000009
【図８】
0003233731.tif 000010
【図９】
0003233731.tif 000011